(57)【要約】【課題】バルコニー部の腰壁又はフェンス又は塀の上端部に設けた手摺と圧力センサーとを覆うと共に該圧力センサーを押圧するセンサー笠木とが別々に見えて、防犯センサーを設置していることが分かって外観意匠性が悪くなってしまうのを防止する防犯センサーを提供する。【解決手段】  バルコニー部の腰壁又はフェンス又は塀の上端部に設けた手摺８３の上面に圧力センサー１を設け、下方に開口する略コ字状又は略Ｕ字状をして前記圧力センサー１及び手摺８３の下端部までを上方から被せて覆うと共に下向きの荷重が印加された際に押し下げられて前記圧力センサー１を押圧するセンサー笠木２を設けた。【選択図】図１
2007148701.tif 000002
【特許請求の範囲】
【請求項１】
バルコニー部の腰壁又はフェンス又は塀の上端部に設けた手摺の上面に圧力センサーを設け、下方に開口する略コ字状又は略Ｕ字状をして前記圧力センサー及び手摺の下端部までを上方から被せて覆うと共に下向きの荷重が印加された際に押し下げられて前記圧力センサーを押圧するセンサー笠木を設けて成ることを特徴とする防犯センサー。
【請求項２】
手摺の上面にセンサー笠木が押し下げられた際に下方に弾性変形して圧力センサーを押圧するためのセンサー押圧部材を複数配設して成ることを特徴とする請求項１記載の防犯センサー。
【請求項３】
センサー笠木の内側に圧力センサーの余長分を収納する収納部を設けて成ることを特徴とする請求項１又は２記載の防犯センサー。
【発明の詳細な説明】
【技術分野】
【０００１】
本発明は、バルコニー部の腰壁又はフェンス又は塀の上端部に設ける防犯センサーに関するものである。
【背景技術】
【０００２】
従来より、バルコニー部の腰壁、フェンス、塀等を乗り越えて不審者が侵入するのを防止する防犯センサーが知られているが（例えば特許文献１、特許文献２参照）、これらは主に赤外線センサー（赤外線遮断検知によるもの）、超音波センサー、静電容量検知センサー、磁気センサーを用いて不審者の侵入を検知するものや、あるいはカメラ等の撮像的監視モニターにて監視して侵入を検知するものである。
【０００３】
このような従来の防犯センサーにおいては、赤外線センサーをはじめ上記のようなセンサーを用いるものであるため、猫や鳥等の小動物が侵入すると不審者が侵入した場合とほぼ同様に検知して、不審者が侵入していないにも関わらず不審者の侵入有りと誤検知してしまうものであり、センサーの方式を上記のもののままで改良しようとすると構造の複雑化・部材点数の増加を招いて高額化してしまうものであった。
【０００４】
また、カメラ等を設ける場合にはバルコニー部の腰壁又はフェンス又は塀との収まりが悪くて一体感がなく、美観を損ねるものであった。
【特許文献１】特開２００１−１５３９６４号公報
【特許文献２】特開２００２−１５３８０号公報
【発明の開示】
【発明が解決しようとする課題】
【０００５】
そこで、バルコニー部の腰壁又はフェンス又は塀の上端部に圧力センサーを配設し、前記圧力センサーを覆うと共に下向きの荷重が印加された際に押し下げられて前記圧力センサーを押圧するセンサー笠木を設けてなる防犯センサーが考えられた。図６に示すように、バルコニー部の腰壁又はフェンス又は塀の上端部には手摺８３が設けてあり、この手摺８３の上面に取付部材３を設けてこの取付部材３の上面に圧力センサー１を配設け、取付部材３と圧力センサー１を覆うと共に下向きの荷重が印加された際に押し下げられて前記圧力センサー１を押圧するセンサー笠木２を設けて防犯センサーが構成されるものである。
【０００６】
しかしながらこの従来の防犯センサーにあっては、手摺８３とセンサー笠木２とが別々に見えてしまい、防犯センサーを設置していることが分かって外観意匠性が悪いものであった。
【０００７】
本発明は上記の従来の問題点に鑑みて発明したものであって、その目的とするところは、バルコニー部の腰壁又はフェンス又は塀の上端部に設けた手摺８３と圧力センサー１とを覆うと共に該圧力センサー１を押圧するセンサー笠木２とが別々に見えて、防犯センサーを設置していることが分かって外観意匠性が悪くなってしまうのを防止する防犯センサーを提供することを課題とするものである。
【課題を解決するための手段】
【０００８】
上記課題を解決するために本発明の防犯センサーは、バルコニー部の腰壁又はフェンス又は塀の上端部に設けた手摺８３の上面に圧力センサー１を設け、下方に開口する略コ字状又は略Ｕ字状をして前記圧力センサー１及び手摺８３の下端部までを上方から被せて覆うと共に下向きの荷重が印加された際に押し下げられて前記圧力センサー１を押圧するセンサー笠木２を設けて成ることを特徴とするものである。このような構成とすることで、手摺８３と圧力センサー１とをセンサー笠木２にて完全に覆い隠して該センサー笠木２のみしか見えないため、防犯センサーを設置していることが分からず外観意匠性が良くなるものである。
【０００９】
また、請求項２に係る発明にあっては、請求項１に係る発明において、手摺８３の上面にセンサー笠木２が押し下げられた際に下方に弾性変形して圧力センサー１を押圧するためのセンサー押圧部材６を複数配設して成ることを特徴とするものである。このような構成とすることで、圧力センサー１を確実に押圧することができて圧力センサー１の検知Ｓ／Ｎ比を向上させることができ、また、センサー笠木２のいずれの箇所に下向きの荷重が印加されてもいずれかのセンサー押圧部材６が圧力センサー１を押圧可能となる。
【００１０】
また、請求項３に係る発明にあっては、請求項１又は２に係る発明において、センサー笠木２の内側に圧力センサー１の余長分１’を収納する収納部を設けて成ることを特徴とするものである。このような構成とすることで、圧力センサー１の余長分１’を切断、絶縁処理することなく圧力センサー１を取り付けることが可能となる。
【発明の効果】
【００１１】
本発明にあっては、手摺と圧力センサーとをセンサー笠木にて完全に覆い隠して該センサー笠木のみしか見えなくすることで、防犯センサーを設置していることが分からず外観意匠性が良くなるものである。
【発明を実施するための最良の形態】
【００１２】
以下、本発明を添付図面に示す実施形態に基いて説明する。本発明の防犯センサーは、戸建住宅や集合住宅のバルコニー部の腰壁をはじめ、敷地のフェンスや塀等の上端部に設置するもので、本実施形態ではバルコニー部の腰壁の上端部に設置するがこれに限定されず、また上記以外の壁部等に設けてもよい。
【００１３】
バルコニー部の腰壁８１は、図２に示すように壁本体８２をコンクリート等により形成すると共に、壁本体８２の上端部に手摺８３を設けて構成してある。手摺８３は、壁本体８２の上端面の長手方向に複数立設した手摺用支柱８４に載置固定して設ける笠木からなるもので、上面が上方に凸となる曲面状をしたアルミニウム等の金属製のものであるが、その他の材質で形成してもよい。この手摺８３には一般の製造業者が製造する様々なものが用いられる。そして、この手摺８３上に防犯センサーを取り付けるものである。
【００１４】
防犯センサーは、図１、図２に示すように取付部材３と、センサー笠木２と、圧力センサー１と、センサー押圧部６０とで主体が構成されるものである。
【００１５】
取付部材３は、バルコニー部の腰壁８１又はフェンス又は塀の上端部に固定して圧力センサー１及びセンサー笠木２を取り付けるためのものである。この取付部材３は、手摺８３の上面の長手方向に間隔をおいて複数取り付けられるもので、金属やその他の材質で形成してもよいが、アルミの押出成形材がよく用いられる。取付部材３は、図１、図３に示すように、下横片３２と、延設片３３とで主体が構成される。下横片３２は下面が手摺８３の上面に取り付けられる厚肉板状をしたもので、その上面にはセンサー保持部材１６が載置固定されるセンサー取付部３５が形成されている。下横片３２の上面の前記センサー取付部３５の幅方向の両側には立設片３２ａが立設してあり、両立設片３２ａにてセンサー保持部材１６を挟んだ状態で該センサー保持部材１６を保持するものである。下横片３２の幅方向の両端部からはそれぞれ板状をした延設片３３が延設してあり、この延設片３３の外方端部が斜め内下方に折り曲げられており、この外方に若干凸曲した部分がセンサー笠木取付部としての被係合部３４となっている。前記被係合部３４間の長さは手摺８３の幅（手摺８３の両側片の外面間の距離）と同じに形成している。また、延設片３３が折り曲げられて被係合部３４の下側に位置する部分は傾斜面３４ａとなっている。この取付部材３は、下横片３２の下面を手摺８３の上面に載置した状態で該下横片３２に形成した固着具挿通孔（図示せず）を挿通して固着具３６を手摺８３に螺着することで固定する。
【００１６】
センサー笠木２は、上覆い片２１と側片２２とからなる下方に開口する断面略Ｕ字状や略コ字状等をして圧力センサー１を覆う長尺のもので、本実施形態においては上覆い片２１を上方に凸となる曲面状に形成すると共に、上覆い片２１の両側端部から縦板状の側片２２を垂下して形成してある。両側の側片２２間の間隔（側片２２の内面間の距離）は、上記取付部材３の両被係合部３４間の距離および手摺８３の幅と同じに形成してあるとともに、側片２２を取付部材３に取り付けた時にその下端が手摺８３の側片の下端よりも下方が同レベルとなるように上下長さを設定してある。
【００１７】
またセンサー笠木２の両側片２２には、取付部材３の両被係合部３４に係合する係合部２３が内方に突設してあると共に、センサー笠木２の下方への移動を規制する規制部２４が前記係合部２３の上方位置より内方に突設してあり、この側片２２の内面の係合部２３と規制部２４の間の部分が取付部材３の被係合部３４が当接する当接面となっている。
【００１８】
センサー笠木２の取付部材３への取り付けは、両側の側片２２を若干押し広げて上方から取付部材３と手摺８３の両側に被せていき、側片２２を手摺８３の側片の外面に被せた状態とし、側片２２の係合部２３を取付部材３の被係合部３４の下側に位置させて被係合部３４を側片２２の内面に当接させることで行う。この状態、即ちセンサー笠木２に外部から荷重が印加されていない状態では、後述するセンサー押圧部材６にてセンサー笠木２が上方に付勢されて、側片２２の係合部２３が取付部材３の被係合部３４の下側に当接すると共に側片２２の規制部２４は取付部材３の延設片３３の上面よりも若干距離をおいた上方に位置しているが、センサー笠木２に下向きの荷重が印加されると、センサー押圧部材６の付勢力に抗ってセンサー笠木２が押し下げられていき、センサー笠木２の側片２２の規制部２４が取付部材３の延設片３３の上面に当接してセンサー笠木２の下方への移動が停止する。センサー笠木２への荷重がなくなると、センサー押圧部材６の付勢力が復元力となってセンサー笠木２が上方に移動して元の状態となる。
【００１９】
上記規制部２４は、センサー笠木２を取付部材３に被嵌してセンサー笠木２に荷重が印加されていない状態（自然状態という）において、取付部材３の上面から上方に間隔をあけた箇所から内方に突設するもので、取付部材３の上面から規制部２４までの距離がセンサー笠木２の自然状態位置から下方へのストロークとなり、このストローク内でセンサー笠木２が移動自在となっている。
【００２０】
センサー保持部材１６は、図１、図４に示すように、ゴム材やエラストマー材のような軟質系樹脂等で形成され、上方に開口してその内部が圧力センサー１を保持する保持部１６ａとなるものである。センサー保持部材１６の長さは取付部材３の長さよりも短く形成してあり、幅は上述した取付部材３の立設片３２ａ間の距離と略同じかこれより若干短く形成してあり、取付部材３の立設片３２ａ間に嵌入保持される。本実施形態ではセンサー保持部材１６の両側面に係合凹部１６ｂが凹設してあると共に取付部材３の立設片３２ａの内側面に係合凸部３２ｂが凸設してあり、これらの凹凸嵌合により抜け止めがなされるものである。また、センサー保持部材１６の保持部１６ａの上方の開口の開口幅は圧力センサー１の径よりも小さく形成してあり、両開口端縁間を広げて圧力センサー１を保持部１６ａに出し入れするものである。
【００２１】
圧力センサー１は、本実施形態では長尺の変位検知式のケーブル状圧力センサー１を用いているが、特にこれに限定されない。本実施形態のケーブル状圧力センサー１（以下単に圧力センサー１という）は、図５に示すように内電極となる導電金属を含む芯電極１１の周囲に可撓性感圧体１２を配置すると共に、該可撓性感圧体１２の周囲に更に可撓性外電極１３を周設し、該可撓性外電極１３にリード部材１４を電気的及び機械的に接続して構成される。この圧力センサー１は、その表面に圧力（荷重）が印加されたとき、その部分が歪むことで芯電極１１と可撓性外電極１３との間に電圧が誘起され、この誘起電圧を利用して圧力を検出するものである。そして、圧力センサー１を押圧するセンサー押圧部６０は、手摺８３の上面に配設されてセンサー笠木２が押し下げられた際に下方に弾性変形して圧力センサー１を押圧するためのセンサー押圧部材６に形成される。
【００２２】
センサー押圧部材６は、図１に示すように、取付部材３の上面に固定される固定片６３と、固定片６３から上方に突設される弾性片６４と、弾性片６４の先端に形成される押圧片６５とで構成される。固定片６３は板状をしたもので、この固定片６３を取付部材３の下横片３２の上面の立設片３２ａの外側部分に載置した状態で、ビス等の固着具６９を該固定片６３の固着具挿通孔（図示せず）を挿通して取付部材３の下横片３２に螺着して固定する。固定片６３の外側端部からは上方に向けて弾性片６４が連設してある。弾性片６４は、基端部が固定片６３から垂直に立設されると共に先端部に向けて内方に向けて緩やかに曲げられて先端部近傍がセンサー笠木２の上覆い片２１の下面に弾接する弾接部６４ａとなっている。弾接部６４ａの上覆い片２１の下面と弾接する部分は、幅方向中央部よりも若干側方に偏った位置となっており、センサー笠木２の上覆い片２１を前記偏った側の斜め上方から反対側の斜め下方に向けて押し下げた際に最もよく弾性片６４が曲げられる。このセンサー押圧部材６は、センサー笠木２の長手方向から見て圧力センサー１に対して左右から対向するように弾性片６４を設けているので、センサー笠木２が左右より、つまり、手摺の外側または内側から力がかけられても曲げられるものである。そして、傾斜片６４の先端からは下方およびセンサー笠木２の幅方向の中央部に向けて押圧片６５が連設してあるとともに、この押圧片６５の下面に下方に向けてセンサー押圧部６０が突設してある。上述したように弾性片６４が曲げられた際に、このセンサー押圧部６０が圧力センサー１を押圧するものである。
【００２３】
本実施形態においては、取付部材３に配設したセンサー保持部材１６に圧力センサー１を嵌め込んで保持させるだけで圧力センサー１を配設することができ、また取外す際にも幅狭の両開口端縁間を弾性的に広げて圧力センサー１を取り出すだけで取外し作業が行われ、圧力センサー１の取付部材３への取り付け・取り外し作業が容易になるものである。
【００２４】
このように圧力センサー１及びセンサー押圧部６０を形成したセンサー押圧部材６をセンサー笠木２の長手方向の間隔をあけた複数の箇所に配置することで、センサー笠木２のどの部分に荷重が印加されてもいずれかの圧力センサー１（本実施形態は圧力センサー１のいずれかの部分）が荷重を検知することが可能となり、圧力センサー１を確実に押圧することができて圧力センサー１の検知Ｓ／Ｎ比を向上させることができ、また、圧力センサー１の長さがセンサー笠木２よりも短い場合でも検知可能となる。そして、荷重を検知した際に不審者の侵入有りと判定するものである。
【００２５】
圧力センサー１からの検知信号は、図２に示すようにセンサー笠木２内の長手方向の一部に検知回路ブロック９１を固着具（図示せず）にて手摺８３に固定してあり、圧力センサー１の検知信号は検知回路ブロックカバー９２からの信号線９４を介して壁本体８２の内側面に取り付けた報知ユニットブロック９５に送信される。不審者有りと判定した場合には報知ユニットブロック９５にて警報音等の警報を発する。
【００２６】
上記のような防犯センサーにあっては、圧力センサー１及び下向きの荷重が印加されて押し下げられた際に圧力センサー１を押圧するセンサー笠木２にて防犯センサーを構成したことで、防犯センサーに赤外線センサー等を用いた場合のように猫や鳥等の小動物の侵入を不審者の侵入として誤検知してしまうことがなく、これを圧力センサー１及びセンサー笠木２という簡単な構成で達成することができて、防犯センサーの複雑化・部材点数増加による高額化を抑えることができ、また、バルコニー部の腰壁８１に設けた手摺８３との収まりがよく一体感があって外観が向上するものである。また、センサー笠木２の下面に突出するセンサー押圧部６０を形成したことで、圧力センサー１の受感部１０を確実に押圧することができて圧力センサー１の検知Ｓ／Ｎ比を向上させることができる。また、センサー笠木２を取付部材３に対して下方に所定のストローク内で移動自在となるようにしたことで、センサー笠木２の移動（押し下げ）が確実に行われることとなって圧力センサー１の検知Ｓ／Ｎ比を向上させることができる。
【００２７】
そしてこの時、上記センサー笠木２にて圧力センサー１及び手摺８３の下端部までを上方から被せて覆うようにしたことで、手摺８３と圧力センサー１とをセンサー笠木２にて完全に覆い隠して該センサー笠木２のみしか見えなくなって、防犯センサーを設置していることが分からず外観意匠性が良くなるものである。
【００２８】
また、圧力センサー１の余長分１’については、本実施形態では圧力センサー１のみを折り曲げてセンサー笠木２の内部の空いたスペースに収納することができる。図１、図４に示すように、取付部材３の延設片３３の上面に一対の保持片３７を立設し、この保持片３７間が圧力センサー１の余長分１’の収納部となっている。これにより、圧力センサー１の余長分１’を切断、絶縁処理することなく圧力センサー１を取り付けることが可能となる。
【図面の簡単な説明】
【００２９】
【図１】本発明の防犯センサーの一実施形態の断面図である。
【図２】同上の腰壁の全体斜視図である。
【図３】同上の取付部材、圧力センサー、センサー保持部材、センサー押圧部材の斜視図である。
【図４】同上のセンサー保持部材を示し、（ａ）は圧力センサーを取り付けた状態の断面図であり、（ｂ）はセンサ保持部材の斜視図である。
【図５】圧力センサーの側断面図である。
【図６】従来の防犯センサーの断面図である。
【符号の説明】
【００３０】
１    圧力センサー
２    センサー笠木
３    取付部材
６    センサー押圧部材
６０  センサー押圧部
８３  手摺
【図１】
2007148701.tif 000003
【図２】
2007148701.tif 000004
【図３】
2007148701.tif 000005
【図４】
2007148701.tif 000006
【図５】
2007148701.tif 000007
【図６】
2007148701.tif 000008